(57)【要約】【課題】  外装固定用のビス座を設けるためには、電池の平面の外装側にビス座を設ける必要があるため、カメラの横幅が大きくなってしまうこと。【解決手段】  電池と電池格納部材と外装カバーを有する撮像装置であり、電池は短辺と長辺とその中間の長さである中辺の３辺から形成される直方体であり、電池の長辺と電池の挿入方向は一致し、短辺と中辺から成る面は挿入方向に直交し、電池の長辺と中辺からなる面は撮像装置の側面に面しており、電池格納部材は電池を格納する格納部と、外装カバーを固定するための固定部をもち、電池の長辺と中辺からなる面は光軸と平行ではない位置に配置され、４つの長辺のうち、撮像装置の中央側かつ被写体側の長辺は撮像装置の中央側かつ撮影者側の長辺よりも、撮像装置の外装カバー側にあり、固定部は面より外側かつ外装カバーの内側との間に固定されること。【選択図】  図１ａ
2018105950.tif 000002
【特許請求の範囲】
【請求項１】
電池（１９）と前記電池（１９）を格納する電池格納部材（１５１）と外装カバー（３０、５０）を有する撮像装置（１）であり、
前記電池（１９）は短辺（１９１）と長辺（１９３）とその中間の長さである中辺（１９２）の３辺から形成される直方体であり、
前記電池（１９）の前記長辺（１９３）と前記電池（１９）の挿入方向は一致し、前記短辺（１９１）と前記中辺（１９２）から成る面（１９１２）は挿入方向に直交し、
前記電池（１９）の前記長辺（１９３）と前記中辺（１９２）からなる面（１９２３ａ）は前記撮像装置（１）の側面に面しており、
前記電池格納部材（１５１）は前記電池（１９）を格納する格納部（１５２）と、
前記外装カバー（３０、５０）を固定するための固定部（１５３）をもち、
前記電池（１９）の前記長辺（１９３）と前記中辺（１９２）からなる面（１９２３ａ）は光軸と平行ではない位置に配置され、
４つの前記長辺（１９３）のうち、前記撮像装置（１）の中央側かつ被写体側の長辺（１９３ａ）は前記撮像装置（１）の中央側かつ撮影者側の長辺（１９３ｂ）よりも、前記撮像装置（１）の前記外装カバー（３０，５０）側にあり、
前記固定部（１５３）は前記面（１９２３ａ）より外側かつ前記外装カバー（３０，５０）の内側との間に固定される
ことを特徴とする撮像装置。
【請求項２】
前記固定部（１５３）とはビス座であり、前記固定部（１５３）はさらに、下穴を有し、前記下穴は前記電池格納部（１５２）まで貫通しないことを特徴とする請求項１に記載の撮像装置。
【請求項３】
前記撮像装置はさらに前記電池（１９）を前記電池格納部（１５２）内へ保持するための電池ロック部（１５５）を有しており、前記電池ロック部（１５５）は前記電池（１９）を取り外すための操作方向は光軸方向であることを特徴とする請求項１乃至３のいずれか１項に記載の撮像装置。
【請求項４】
前記電池ロック部（１５５）はさらに先端部（１５５１）をもち、前記先端部（１５５１）は前記短辺（１９１）と平行であることを特徴とする請求項３に記載の撮像装置。
【発明の詳細な説明】
【技術分野】
【０００１】
本発明は、撮像装置に関し、特に直方体の電池を使用する撮像装置に関するものである。
【背景技術】
【０００２】
カメラを駆動させる電池をグリップ部の内側に設けた電池ボックス内に格納する構成のカメラが広く普及している。また、電池のエッジＲが大きな電池を使用しているカメラでは、電池のエッジＲに合わせて形成された電池ボックスのスペースに、外装カバーを止めるためのビス座を設けることで、カメラの横幅が拡大することを防いでいる。
【０００３】
例えば、特許文献１によると、グリップ近傍に電池と円筒形状部品をもつカメラ本体において、カメラ本体には電池室の非外観部があり、非外観部には電池と円筒形状部品の外形円弧とで形成される隙間に外装カバーを固定することで、カメラの横幅拡大を防ぐ提案が開示されている。
【先行技術文献】
【特許文献】
【０００４】
【特許文献１】特開平７−４３８０７号公報
【発明の概要】
【発明が解決しようとする課題】
【０００５】
しかし、上述の特許文献１に開示された従来技術では、電池のエッジのＲが小さい電池、つまり直方体に近い形状の電池を使用しているカメラにおいて、ビス座を設けるためには、電池のさらに外側に固定部を設ける必要があるため、カメラの横幅が大きくなってしまう課題があった。
【０００６】
そこで、本発明の目的は、略直方体の電池を効率よく配置することで、カメラの横幅を抑えることを可能とした撮像装置を提供することである。
【課題を解決するための手段】
【０００７】
電池（１９）と前記電池（１９）を格納する電池格納部材（１５１）と外装カバー（３０、５０）を有する撮像装置（１）であり、
前記電池（１９）は短辺（１９１）と長辺（１９３）とその中間の長さである中辺（１９２）の３辺から形成される直方体であり、
前記電池（１９）の前記長辺（１９３）と前記電池（１９）の挿入方向は一致し、前記短辺（１９１）と前記中辺（１９２）から成る面（１９１２）は挿入方向に直交し、
前記電池（１９）の前記長辺（１９３）と前記中辺（１９２）からなる面（１９２３ａ）は前記撮像装置（１）の側面に面しており、
前記電池格納部材（１５１）は前記電池（１９）を格納する格納部（１５２）と、
前記外装カバー（３０、５０）を固定するための固定部（１５３）をもち、
前記電池（１９）の前記長辺（１９３）と前記中辺（１９２）からなる面（１９２３ａ）は光軸と平行ではない位置に配置され、
４つの前記長辺（１９３）のうち、前記撮像装置（１）の中央側かつ被写体側の長辺（１９３ａ）は前記撮像装置（１）の中央側かつ撮影者側の長辺（１９３ｂ）よりも、前記撮像装置（１）の前記外装カバー（３０，５０）側にあり、
前記固定部（１５３）は前記面（１９２３ａ）より外側かつ前記外装カバー（３０，５０）の内側との間に固定されることを特徴とする。
【発明の効果】
【０００８】
本発明によれば、カメラの横幅拡大を抑えた撮像装置を提供することができる。
【図面の簡単な説明】
【０００９】
【図１ａ】本実施形態における撮像装置の側面図
【図１ｂ】図１ａ中のＡ−Ａ断面図
【図１ｃ】図１ｂ中の拡大図Ｂ
【図２】本実施形態における撮像装置の斜視図。
【図３】本実施形態における撮像装置の前方分解斜視図。
【図４ａ】本実施形態における電池の斜視図。
【図４ｂ】本実施形態における電池の図４ａとは逆側の斜視図。
【図５】本実施形態におけるシャーシの斜視図。
【図６ａ】本実施形態における撮像装置に電池を挿入する際の斜視図
【図６ｂ】図６ａからシャーシと電池のみを表示させた斜視図
【図７ａ】本実施形態における撮像装置シャーシと電池のみを表示させ、電池を挿入する際の側面図
【図７ｂ】図７ａの状態から電池ロック部と電池が接触した際の図
【図７ｃ】図７ｂの状態から電池の挿入が完了した図
【図８】本実施形態における撮像装置の電池蓋を開けた状態を下からみた図
【発明を実施するための形態】
【００１０】
以下に、本発明の好ましい実施の形態を、添付の図面に基づいて詳細に説明する。図２は本実施形態におけるデジタル一眼レフカメラ（以下、カメラ）を示した図である。図３ａ本実施形態におけるカメラの前方分解斜視図である。
【００１１】
１は本実施形態で説明するカメラ本体である。３０はフロントカバーユニット、４０はトップカバーユニット、５０はバックカバーユニット、６０はインターフェースカバーユニット、７０は電池蓋ユニットである。フロントカバーユニット３０とバックカバーユニット５０は光軸方向（＝Ｚ方向）から組み付けを行い、トップカバーユニット４０はカメラの上面方向（＝Ｙ方向）から組み付けを行い、インターフェースカバーユニット６０はカメラの横方向（＝Ｘ方向）から組み付けを行う。フロントカバーユニット３０はユーザーが保持するためのグリップ部３１を備えており、グリップ部３１は手のひら部３１１と指係り部３１２の２つの領域で構成される。
【００１２】
また、４１はトップカバー４０に設けられたレリーズスイッチである。９は不図示の交換レンズを通した光を撮影者が像を確認するファインダーである。１５はカメラの土台となるメインシャーシであり、１５のメインシャーシの構成に関しては後述する。１６は交換レンズをカメラに固定するマウントであり、１７はミラーボックスユニット、１８はクイックリターンミラーである。マウント１６はミラーボックスユニット１７に固定され、ミラーボックスユニット１７内にはクイックリターンミラー１８や不図示のオートフォーカスユニットを備えている。１９はカメラを駆動させるための電池である。
【００１３】
また、２０は底面に配置された三脚座である。１０は不図示の交換レンズから入射した光学像を電気信号に変換するＣＭＯＳセンサーや、撮像素子の駆動・制御をおこなう撮像素子駆動回路が実装された撮像回路基板をもつ撮像素子ユニットである。１４は各種素子が実装されたメイン基板である。メイン基板１４上の１２は撮像された画像の処理等を行うエンジンであり、１３はカメラの動作を司るＣＰＵである。なお、メイン基板１４はメインシャーシ１５に対して固定される。
【００１４】
ユーザーが撮影動作を実施する際には、ユーザーがトップカバーに設けられたレリーズスイッチ４１を押し下げる。すると、クイックリターンミラー１８が跳ね上がり、交換レンズを透過した光は撮像素子ユニット１０に入射・受光した後に、ＡＤ変換素子によってデジタル信号に変換されて、メイン基板１４に実装されたエンジン１２へ送信される。その後、不図示のメディア等へ書き込まれる事で、一連の撮影動作は終了する。
【００１５】
次に図４を用いて、本発明の実施形態における電池１９に関して説明する。図４ａは本実施形態における電池の斜視図であり、図４ｂは図４ａとは逆から見た電池の斜視図である。
【００１６】
電池１９は略直方体であり、最も短い短辺１９１、最も長い長辺１９３、短辺１９１と長辺１９３の中間の長さである中辺１９２の３辺で構成される。各辺にはエッジＲがついていてもよい。なお、各辺はそれぞれ４本ずつあり、本実施例内で詳細を後述する長辺はそれぞれ長辺１９３ａ、長辺１９３ｂである。短辺１９１と中辺１９２と長辺１９３の一部には、ユーザーが電池を誤った方向に挿入することを防止する誤組防止部１９４を備えている。なお、本実施例においては誤組防止部１９４は凹形状であるが、凸形状でもよい。
【００１７】
本実施例中においては説明を簡略化するために、誤組防止部１９４を備える辺についても、短辺１９１、長辺１９３と説明する。短辺１９１と中辺１９２からなる面１９１２は長辺１９３に対して直交しており、電力を供給するための端子部１９５を備えている。中辺１９２と長辺１９３からなる面１９２３ａには不図示のロゴや、注意書きが記載されている。
【００１８】
次に図１、図５を使用して、メインシャーシ１５の構成に関して説明する。図１ａは本実施形態におけるカメラ１の側面図であり、図１ｂは図１ａ中のＡ−Ａ断面図、図１ｃは図１ｂ中のＢを拡大した図である。また、図５はメインシャーシの全体構造を示した図である。
【００１９】
メインシャーシ１５は、樹脂部に金属板金１５０がインサートされており、電池を格納するための電池ボックス１５１を有している。本実施例ではメインシャーシ１５と電池ボックス１５１は一体構造となっているが、電池ボックス１５１を別部品で構成してもよい。電池ボックス１５１には電池１９の外形と略同一であり、電池１９を格納するための電池格納部１５２をもつ。図１ｃのように、電池格納部１５２は電池を挿入したときに電池１９の面１９２３ａがグリップ部３１の手のひら部３１１側に面し、電池１９の面１９２３ｂが指係り部３１２側に面するように配置される。
【００２０】
長辺１９３ａをカメラ中央側かつ被写体側に配置し、長辺１９３ｂをカメラ中央側かつ撮影者側に配置する。さらに光軸に対して傾きをもつように長辺１９３ａを長辺１９３ｂよりもカメラ１の外側に配置することで、フロントカバー３０、バックカバー５０と面１９２３ａとの間に三角スペース８０を生むことができ、三角スペース８０に外装を固定するための外装固定ビス座１５３を配置することが可能である。外装固定ビス座１５３はフロントカバーユニット３０やバックカバーユニット５０を固定するためであるが、外装部材以外にも必要に応じて、板金等を共締めしてもよい。
【００２１】
光軸からの角度を小さくするように電池１９を配置すると三角スペース８０も小さくなり、ビス座１５３のセルフタップ下穴深さを確保するために、電池格納部１５２まで貫通させる必要が生じ、品位が低下する。よって、外装固定ビス座１５３のセルフタップ下穴が貫通しない範囲で光軸からの角度を持たせるように電池１９を配置することが好ましい。なお、本実施例では外装固定用のビス座１５２を配置しているが、外装を固定するためのひっかけや、圧入機構など、固定構成は問わないが、ビスで強固に固定することによって、カメラ１の剛性を高めることができる。
【００２２】
上述したように、三角スペース８０にビス座１５３を設けることで、カメラ１の横幅を拡大することなく、外装部材を固定することが可能である。また、電池ボックス１５１の被写体側には電池１９を保持するための電池ロック部１５５を備えており、電池ロック部１５５は弾性部材で成型されている。
【００２３】
次に図６、図７、図８を使用して、電池１９をカメラ１へ取り付け方法と電池の取り外し方法について説明する。図６ａは本実施形態におけるカメラ１に電池を装着する際の斜視図であり、図６ｂは図６ａからシャーシと電池のみを表示させた斜視図である。図７ａは本実施形態におけるカメラ１シャーシと電池のみを表示させ、電池を装着する際の側面図であり、図７ｂは図７ａから電池ロック部と電池が接触した際の図、図７ｃは図７ｂの状態から電池の装着が完了した図である。図８は本実施形態におけるカメラ１の電池蓋を開けた状態をカメラ下面からみた図である。
【００２４】
ユーザーがカメラ１へ電池１９を装着する際には、カメラ１の電池ボックス１５１へ面１９１２ａ側から長辺１９３方向（矢印Ａの方向）に挿入する。電池１９が電池ロック部１５５の斜面と接触することで、電池ロック部１５５を矢印Ｂの方向へ弾性変形させ、面１９１３上を摺動し、面１９１２ｂでロックされる。電池１９を取り外す際には、図ＡＡのように、電池ロック部１５５を光軸方向へ変形させることで、ロックが解除される。電池１９は光軸に対して傾いた位置に配置されるが、ユーザーの解除動作方向（矢印Ｃの方向）は傾き方向と一致させずに、光軸方向に摺動させてもよい。
【００２５】
１５５１は電池ロック部１５５の先端であり、電池ロック部１５５の先端を電池の傾きに合わせることで、電池蓋７０を開けた際に電池１９の傾きと電池ロック部先端１５５１の準外観の統一感がでるため好ましい。
【００２６】
以上、本発明の好ましい実施形態について説明したが、本発明はこれらの実施形態に限定されず、その要旨の範囲内で種々の変形及び変更が可能である。
【符号の説明】
【００２７】
１         カメラ本体
１９       電池
３０       前方カバー
５０       後方カバー
１５１      電池格納部材
１５２      電池格納部
１５３      外装固定ビス座
１９１      電池１９の短辺
１９２      電池１９の中辺
１９３      電池１９の長辺
１９３ａ    電池１９の長辺
１９３ｂ    電池１９の長辺
１９１２    電池１９の面
１９２３ａ  電池１９の面
【図１ａ】
2018105950.tif 000003
【図１ｂ】
2018105950.tif 000004
【図１ｃ】
2018105950.tif 000005
【図２】
2018105950.tif 000006
【図３】
2018105950.tif 000007
【図４ａ】
2018105950.tif 000008
【図４ｂ】
2018105950.tif 000009
【図５】
2018105950.tif 000010
【図６ａ】
2018105950.tif 000011
【図６ｂ】
2018105950.tif 000012
【図７ａ】
2018105950.tif 000013
【図７ｂ】
2018105950.tif 000014
【図７ｃ】
2018105950.tif 000015
【図８】
2018105950.tif 000016